(57)【要約】      （修正有）【課題】出荷先の土壌における活着の速度を向上できる天然芝構造体を提供する。【解決手段】天然芝構造体は、第１シート材２と、砂層４と、天然芝６と、を備える。砂層は、第１シート材上に砂を適宜の深さで敷設して形成される。天然芝は、砂層に敷設される。第１シート材は、天然芝の根が貫通不可能に構成されている。第１シート材が、通気性及び透水性を有し、スパンボンド不織布を用いて構成されるのが好ましい。また、砂層の中に敷設された有機質肥料５を更に備え、第１シート材と砂層との間に、少なくとも砂層の砂が進入可能な目の粗さを有する麻製の第２シート材３を更に備えるのが好ましい。【選択図】図１
0003216482.tif 000002
【実用新案登録請求の範囲】
【請求項１】
第１シート材と、
前記第１シート材上に砂を適宜の深さで敷設して形成された砂層と、
前記砂層に敷設された天然芝と、
を備え、
前記第１シート材は、前記天然芝の根が貫通不可能に構成されている、天然芝構造体。
【請求項２】
請求項１に記載の天然芝構造体であって、
前記第１シート材が、通気性及び透水性を有する、天然芝構造体。
【請求項３】
請求項２に記載の天然芝構造であって、
前記第１シート材は、スパンボンド不織布を用いて構成される、天然芝構造体。
【請求項４】
請求項１から請求項３までのいずれか１項の天然芝構造体であって、
前記砂層の中に敷設された有機質肥料を更に備える、天然芝構造体
【請求項５】
請求項１から請求項４までのいずれか１項の天然芝構造体であって、
前記第１シート材と前記砂層との間に配置され、少なくとも前記砂層の砂が進入可能な目の粗さを有する麻製の第２シート材を更に備える、天然芝構造体。
【考案の詳細な説明】
【技術分野】
【０００１】
本開示は、砂層と、砂層に敷設された天然芝と、を備える天然芝構造体に関する。
【背景技術】
【０００２】
特許文献１には、ゴルフ場、サッカースタジアム、ラグビー競技場、陸上競技場、テニス競技場、野球場などの各種グランドに植えられている天然芝に人工光を照射する天然芝育成用照明装置が開示されている。
【先行技術文献】
【特許文献】
【０００３】
【特許文献１】特開２０１８−２３２９９号公報
【考案の概要】
【考案が解決しようとする課題】
【０００４】
ところで、土壌で育成した天然芝を各種グラウンド等に出荷することが行われている。出荷先のグラウンド等によっては、移植後すぐに天然芝が使用されるという過酷なスケジュールを余儀なくされる場合があり、この場合、移植後、天然芝の養成期間を十分に確保できない。一方、天然芝が出荷される際には、土壌に根付いた天然芝の根を切り取って出荷されている。しかしながら、このような出荷方法では、出荷先の土壌において、切り取られた根がまた伸びて、土壌に根付くまで時間がかかる。つまり、出荷後、天然芝の活着に時間がかかり、出荷先のスケジュールに間に合わない可能性がある。
【０００５】
本開示は、出荷先の土壌における天然芝の活着の速度を向上できる天然芝構造体を提供することを目的としている。
【課題を解決するための手段】
【０００６】
本開示の一態様は、天然芝構造体であって、第１シート材と、砂層と、天然芝と、を備える。砂層は、第１シート材上に砂を適宜の深さで敷設して形成される。天然芝は、砂層に敷設される。第１シート材は、天然芝の根が貫通不可能に構成されている。
【０００７】
このような構成によれば、天然芝の根が第１シート材を貫通しないため、天然芝の根が第１シート材上に位置する。よって、天然芝の根を切り取ることなく、第１シート材上の天然芝及び砂層を出荷先に出荷できる。その結果、出荷先の土壌において天然芝が根付きやすい。したがって、出荷先の土壌における天然芝の活着の速度を向上できる天然芝構造体を提供できる。
【図面の簡単な説明】
【０００８】
【図１】本実施形態の天然芝構造体の構成を示す断面図である。
【考案を実施するための形態】
【０００９】
以下、図面を参照しながら、本開示を実施するための形態を説明する。
［１．構成］
図１に示す天然芝構造体１は、第１シート材２と、第２シート材３と、砂層４と、有機質肥料５と、天然芝６と、を備える。後述するとおり、天然芝構造体１における第１シート材２よりも上の部分が各種グラウンド等に出荷され、天然芝６が移植される。
＜第１シート材＞
第１シート材２は、土壌７に載置される。第１シート材２は、防草シートであって、本実施形態では、合成繊維ポリエステルを１００％使用したスパンボンド不織布である。第１シート材２は、天然芝６の根及び茎が貫通不可能な目の粗さを有する。また、第１シート材２は、通気性及び透水性を有する。スパンボンド不織布には厚み等に関して様々な種類があるが、本実施形態では、第１シート材２として２００ｇ／ｍ２の合成繊維ポリエステルを圧着したスパンボンド不織布が使用される。圃場での試験結果により、この種のスパンボンド不織布の通気性及び透水性が芝栽培に適合することが確認された。
＜第２シート材＞
第２シート材３は、第１シート材２と砂層４とのに間に配置される。第２シート材３は、麻製のシート材であって、本実施形態では、ジュート製のシート材である。具体的には、第２シート材３は、ジュート製のカーペットバッキングクロスである。この第２シート材３は、少なくとも砂層４の砂が進入可能な目の粗さを有する。すなわち、第２シート材３内に砂層４の砂が入り込む。また、第２シート材３は、通気性及び透水性を有する。第２シート材３は、数ヶ月でバクテリアによって分解されてなくなり、天然芝６の栄養となる。
＜砂層＞
砂層４は、第１シート材２及び第２シート材３上に砂を適宜の深さ（本実施形態では２０ｍｍ程度）で敷設して形成される。本実施形態では、砂層４には、粒度が２．５ｍｍ以下の砂が使用される。粒度が２．５ｍｍよりも大きいと、ごつごつした印象が強くなり、グラウンド等で競技者等が踏んだときに違和感のある足場になる。また、粒度が２．５ｍｍよりも大きいと、天然芝６の根が砂粒を迂回して生えるため、根の生え方が変化する。このため、本実施形態では、粒度が２．５ｍｍ以下の砂が使用される。なお、粒度が小さすぎると砂粒が風などで飛びやすくなるため、適度な粒度が望まれる。
＜有機質肥料＞
有機質肥料５は、砂層４の中に敷設される。本実施形態では、砂層４の中に有機質肥料５の層が形成されている。本実施形態では、有機質肥料５は、バーク堆肥である。しかし、有機質肥料はこれに限られず、有機質肥料は例えば鶏糞等であってもよい。
＜天然芝＞
天然芝６は、根及び茎の一部が砂層４に埋設されるように砂層４に敷設される。天然芝６の種類は特に限定されないが、本実施形態では、天然芝６としてティフトン４１９が使用される。
【００１０】
このような天然芝構造体１により天然芝６を育成し、育成された天然芝６を出荷するとき、第１シート材２よりも上の部分だけを巻き取って出荷する。具体的には例えば、下地の第１シート材２を切ることなく第１シート材２よりも上の部分のみを規格幅の１ｍにエッヂカットし、１０ｍの長さでロール状に巻き取って出荷する。このように巻き取ることで大型の出荷となる。なお、第１シート材２よりも上の部分の出荷時の厚みは例えば３５ｍｍ〜４０ｍｍである。また、出荷時の幅及び長さ等は上記に限られず、例えば幅は７０ｃｍ〜１２０ｃｍ程度であってもよい。
【００１１】
［２．効果］
以上詳述した実施形態によれば、以下の効果が得られる。
（１）本実施形態では、天然芝構造体１は、天然芝６の根が貫通不可能に構成される第１シート材２を備える。したがって、天然芝６の根が第１シート材２を貫通しないために、天然芝６の根が全部第１シート材２上に位置する。よって、天然芝６の根を切り取ることなく、第１シート材２上の天然芝６及び砂層４を出荷先に出荷できる。その結果、出荷先の土壌において天然芝６が根付きやすい。したがって、出荷先の土壌における天然芝６の活着の速度を向上できる天然芝構造体１を提供できる。
【００１２】
また、第１シート材２を使用せず、土壌で育成した天然芝を切り取って出荷する場合、出荷時に土壌が削られ、砂が減少する。特に、土壌の砂に専用の砂が使用される場合、砂を補充するのに費用がかかる。これに対して、本実施形態では、第１シート材２よりも上の部分が出荷されるため、第１シート材２よりも下の土壌７の砂が削られない。よって、土壌７の砂に専用の砂を使用している場合でも専用の砂を補充する必要がない。このため、第１シート材２を使用しない場合と比較して、費用を抑えることができる。
【００１３】
なお、本明細書でいう「天然芝６の根が貫通不可能に構成される」とは、天然芝６の根が第１シート材２内に完全に進入しないように構成されることだけを意味するものではない。すなわち、天然芝６の根が第１シート材２内に進入しても、天然芝構造体１における第１シート材２よりも上の部分を出荷するときに、天然芝６の根を切り取る必要がない程度に根が第１シート材２に進入可能に構成されることも、本明細書でいう「天然芝６の根が貫通不可能に構成される」に含まれる。
【００１４】
（２）本実施形態では、第１シート材２が、通気性及び透水性を有する。したがって、雨やスプリンクラーの水や、空気が第１シート材２を通過して土壌７に届く。よって、土壌７を自然な状態に保てる。また、土壌７から蒸発した水分が天然芝６に供給される。よって、天然芝６の育成効率を向上できる。
【００１５】
（３）本実施形態では、第１シート材２は、スパンボンド不織布を用いて構成される。したがって、他のシート材に比べて、天然芝６の根が第１シート材２を貫通しにくい。また、通気性及び透水性が高く、土壌７を自然な状態に保ち、天然芝６の育成効率を向上しやすくできる。また、他のシート材に比べて、長時間の敷設にも耐え、腐食にも強く経年劣化しにくく過酷な自然環境の変化にさらされても性能が低下しにくくできる。
【００１６】
（４）本実施形態では、天然芝構造体１は、砂層４の中に敷設された有機質肥料５を備える。したがって、天然芝６の育成が促進される。また、例えば、砂層４の表面に有機質肥料５を蒔く場合、有機質肥料５が風で飛びやすい。一方、本実施形態では砂層４の中に有機質肥料５が敷設されるため、有機質肥料５が風で飛びにくくできる。
【００１７】
さらには、砂層４の表面に有機質肥料５を蒔き、その上に天然芝６を敷設する場合、有機質肥料５間に隙間ができるため、天然芝６直下に隙間ができる。天然芝６直下に隙間ができると、天然芝６の根が下に伸びない。これに対して、本実施形態では、有機質肥料５が砂層４の中に敷設されるため、有機質肥料５間が砂で充填され、隙間ができにくい。よって、天然芝６の根が伸びやすく、天然芝６を根付きやすくできる。
【００１８】
（５）本実施形態では、天然芝構造体１は、第１シート材２と砂層４との間に配置され、少なくとも砂層４の砂が進入可能な目の粗さを有する麻製の第２シート材３を備える。
第１シート材２上に砂を直で蒔くと、風や雨水等で砂が第１シート材２上を流れる。これに対して、本実施形態の構成によれば、砂層４の砂が第２シート材３の目に嵌まり、風や雨水等で砂が流れにくくできる。また、第２シート材３は麻製であるため、最終的にはバクテリアによって分解され、天然芝６の栄養になる。よって、天然芝６の根が第１シート材２上の最下層に現れるようにでき、第１シート材２上の天然芝等を出荷したときに出荷先の土壌に根付きやすくできる。
【００１９】
［３．他の実施形態］
以上、本開示を実施するための形態について説明したが、本開示は上述の実施形態に限定されることなく、種々変形して実施することができる。
【００２０】
（１）上記実施形態において、第１シート材としてスパンボンド不織布以外の他のシート材を使用してもよい。
（２）上記実施形態において、天然芝構造体は、第２シート材３及び有機質肥料５の少なくとも一方を備えていなくてもよい。
【００２１】
（３）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言によって特定される技術思想に含まれるあらゆる態様が本開示の実施形態である。
【符号の説明】
【００２２】
１…天然芝構造体、２…第１シート材、３…第２シート材、４…砂層、５…有機質肥料、
６…天然芝、７…土壌。
【図１】
0003216482.tif 000003